(57)【要約】【課題】  ＤＶＤ等を収容した貸出しケースを上端部を突出した状態で上端開口から挿入することが出来る陳列ケースであって、表面の透明シートとの間にタイトル紙を自動機械にて挿入することが出来るようにした陳列ケースの提供。【解決手段】  陳列ケース１は本体ケース７と蓋ケース８を有して継手部９を介して開閉可能とし、そして本体ケース表面の側縁部と蓋ケース表面の側縁部には透明シート１０の側端を止着して陳列ケース表面に張着したもので、本体ケース表面の底縁と蓋ケース表面の底縁には低いリブ１５を沿設し、そして本体ケース７の本体側部２７と蓋ケース８の蓋側部２２にはツメ３ａ，３ｂが嵌る凹部４を形成し、又本体ケース７と蓋ケース８が閉じる際に位置決めされて互いに噛み合うことが出来るように複数の案内ガイド部を設けている。【選択図】    図４
2008162608.tif 000002
【特許請求の範囲】
【請求項１】
ＤＶＤ等を収容した貸出しケースの上端部を突出した状態で上端開口から挿入することが出来るケースであって、該ケースは本体ケースと蓋ケースを有して継手部を介して開閉可能とし、そして本体ケース表面の側縁部と蓋ケース表面の側縁部にはタイトル紙を挟むことが出来る透明シートの側端を止着して陳列ケース表面に張着した陳列ケースにおいて、本体ケース表面及び蓋ケース表面の底縁又は上縁の少なくとも一方には低いリブを沿設し、そして本体ケースの本体側部と蓋ケースの蓋側部にはツメが嵌る凹部を形成し、本体ケースと蓋ケースが閉じる際に位置決めされて互いに噛み合うことが出来るように複数の案内ガイド部を設けたことを特徴とするレンタル用ＤＶＤ等の陳列ケース。
【請求項２】
上記案内ガイド部として、蓋ケースの底部には湾曲したコーナーを形成したガイドリブ１６，１６を蓋板１７から起立し、ガイドリブ１６，１６と蓋底１８との間に設けた隙間１９，１９には本体底２０が嵌るようにした請求項１記載のレンタル用ＤＶＤ等の陳列ケース。
【請求項３】
上記案内ガイド部として、蓋側部２２の中央部を窪ませて蓋中央側部２３を形成し、この蓋中央側部２３の内側には隙間２４を残してガイドリブ２５を蓋板１７から起立し、本体側部２７の中央に設けた本体中央側部２８を上記隙間２４に嵌合し、本体中央側部２８の両側に設けたガイドリブ２９，２９を蓋ケース８に設けたガイドリブ２５と蓋側部２２との間の空間３０，３０に嵌めた請求項１、又は請求項２記載のレンタル用ＤＶＤ等の陳列ケース。
【請求項４】
上記案内ガイド部として、蓋側部２２の上端には蓋上部３４を設け、本体側部２７の上端には本体上部３３を設け、そして、蓋上部３４の内側にはガイドリブ３５を蓋板１７から起立すると共にその先端と蓋側部２２との間には隙間を形成し、この隙間に本体側部２７を嵌めると供に本体上部をガイドリブ３５の内部空間３６に嵌めた請求項１、請求項２、又は請求項３記載のレンタル用ＤＶＤ等の陳列ケース。
【発明の詳細な説明】
【技術分野】
【０００１】
本発明はレンタル用ＤＶＤ、ＣＤ等を入れた貸出しケースを収容する陳列ケースであって、陳列ケースを開いてその表面に張着した透明シートとの間にタイトル紙を自動機械で挿入した後で閉じることが出来るようにした陳列ケースに関するものである。
【背景技術】
【０００２】
図９はＤＶＤを貸出しケース（イ）に入れて陳列ケース（ロ）に収容した場合である。そして、この陳列ケース（ロ）はレンタルショップの陳列棚に配列され、客は上端部が突出している貸出しケース（イ）を抜き取って借りることが出来る。貸出しケース（イ）は収容しているＤＶＤが盗難に遭わないように、一般にはロックされている。そして、ロックを解除しないでレンタルショップから持ち出そうとするならば、警報装置が作動するように成っている。
【０００３】
ところで、貸出しケース（イ）に収容しているＤＶＤの内容を表示する為に、すなわち、レンタルショップへ訪れた客が分かるように、陳列ケース（ロ）にはタイトル紙（ハ）が取付けられている。このタイトル紙（ハ）は交換可能な取付け形態としており、陳列ケース（ロ）の表面に張着した透明シートとの間に挿入して挟まれている。
【０００４】
陳列ケース（ロ）は本体ケースと蓋ケースで構成され、開閉可能な構造としているが、この表面に張着した透明シートとの間にタイトル紙（ハ）を挿入する作業は容易でない。すなわち、本体ケースと蓋ケースを開くことで表面の透明シートはダブ付き、この状態でタイトル紙（ハ）を挿入して再び閉じる訳であるが、多数の陳列ケース（ロ）、（ロ）・・を開いてタイトル紙（ハ）、（ハ）・・を挿入する作業は単純であるが時間がかかる。
【発明の開示】
【発明が解決しようとする課題】
【０００５】
このように陳列ケースにタイトル紙を取付ける作業には上記のごとき問題がある。本発明が解決しようとする課題はこの問題点であり、自動機械を用いてタイトル紙を透明シートとの間に挿入して取付けることが出来るようにした陳列ケースを提供する。
【課題を解決するための手段】
【０００６】
本発明に係る陳列ケースは、自動機械を使用して透明ケースとの間にタイトル紙を挿入することが出来るように構成されている。ここで、自動機械の具体的な構成は限定しないが、本体ケースと蓋ケースを開くことが出来る一対のツメを有し、このツメが本体ケースの側部と蓋ケースの側部に係止して開くことが出来る。そこで、ツメが係止出来るような係止凹部を側部に形成している。
【０００７】
そして、本体ケースと蓋ケースとが開くことで透明シートは自重にて垂れ下がり、本体ケース表面及び蓋ケース表面との間に大きな空間が形成され、この状態で透明シートとの間にタイトル紙が挿入される。タイトル紙は中央部と両側部の３ヶ所を支持棒で保持した状態で垂れ下がった上記透明シートとの間に挿入される。ここで、上記タイトル紙を保持する支持棒は該タイトル紙を挟むことが出来るように、２本が対を成して構成することもある。
【０００８】
挿入した状態で本体ケースと蓋ケースが閉じると共に支持棒が抜き取られるが、タイトル紙が支持棒と共に外れないように、本体ケース表面の底縁及び蓋ケース表面の底縁には低いリブを形成している。又上縁にも低いリブを設けることもある。そこで、タイトル紙は該リブに当って位置決めされ、支持棒だけが後退して抜き取られる。そして、本体ケース側部と蓋ケース側部に係止したツメによって閉じられるが、本体ケースと蓋ケースとが正しく噛み合って閉じることが出来る案内ガイド部を複数個所に設けている。
【０００９】
本発明は陳列ケースに関するものであり、本体ケースと蓋ケースを閉じる具体的な手段は限定しない。そして上記支持棒を動かす手段に関しても限定しない。該陳列ケースは自動機械にて本体ケースと蓋ケースが開き、開いた状態で垂れ下がった透明シートとの間にタイトル紙を挿入し、そして自動機械で閉じることが出来る構造としている。
【発明の効果】
【００１０】
本発明に係る陳列ケースは表面の透明シートとの間にタイトル紙を自動挿入できる構造としている。そこで、自動機械の両ツメにて本体ケースと蓋ケースを開き、透明シートがその自重で垂れ下がった状態での空間にタイトル紙を支持棒で摘んで挿入できる。本発明の陳列ケースはツメが係止して開くことが出来る凹部を側縁に形成している。そして、タイトル紙を支持棒で摘んだ状態で挿入するが、挿入したタイトル紙は本体ケース表面の底縁、蓋ケース表面の底縁に形成したリブに当って支持棒の後退と共に外れることはない。
又、本体ケースと蓋ケースは自動機械によって閉じられるが、複数の案内ガイド部が形成されることで、蓋ケースは本体ケースに正しく噛み合って閉じることが出来る。すなわち、本発明の陳列ケースは貸出しケースが突出するように上端が開口していることで、剛性が不足して変形するが、案内ガイド部の形成によって自動機械で閉じることが出来る。すなわち、タイトル紙を取付ける場合の一連の動作を自動機械にて行うことが出来る。
【実施例】
【００１１】
図１は本発明に係る陳列ケース１の側縁２に一対のツメ３ａ，３ｂを係止した場合であり、ツメ３ａ，３ｂの先端は側縁２に形成した凹部４に嵌って、本体側リブ６と蓋側リブ５に係止している。陳列ケース１は本体ケース７と蓋ケース８から成り、ツメ３ａ，３ｂを引き離すことで本体ケース７と蓋ケース８は開くことが出来る。
【００１２】
図２は本体ケース７と蓋ケース８が開いた場合であり、該本体ケース７と蓋ケース８との間には継手部９が設けたれている。そして、本体ケース７と蓋ケース８が同図に示すように開くことで、陳列ケース１の表面に張着した透明シート１０はダブ付いて垂れ下がる。すなわち、該透明シート１０の両側端は本体ケース表面の側縁部と蓋ケース表面の側縁部に止着されている為に、その他の部分は自重により垂れ下がり、本体ケース表面と蓋ケース表面との間に大きく空間１１が形成される。同図は陳列ケース１を開いたツメ３ａ，３ｂは省略されているが、開いた本体ケース７と蓋ケース８は同図に示す状態で支持される。
【００１３】
ところで、この空間１１にタイトル紙１２が挿入される。タイトル紙１２はその中央部と両側部が支持棒１３ａ，１３ｂ、１４ａ，１４ｂ・・によって支持され、タイトル紙１２は逆Ｗ形に湾曲して支持されている。すなわち、逆Ｗ形に湾曲した状態で支持されて空間１１に挿入される。ここで、タイトル紙１２の中央部は２本の支持棒１３ａ，１３ｂにて挟まれ、側部は２本の支持棒１４ａ，１４ｂにて挟まれている。
【００１４】
このように上記支持棒１３ａ，１３ｂ、１４ａ，１４ｂ・・によって支持されて空間１１へ挿入されたタイトル紙１２は本体ケース７と蓋ケース８が閉じることで透明シート１０との間に挟まれる。この場合、本体ケース７と蓋ケース８が閉じると同時に支持棒１３ａ，１３ｂ，１４ａ，１４ｂ・・は後退するが、この際、タイトル紙１２が支持棒１３ａ，１３ｂ，１４ａ，１４ｂ・・の後退と共に外れないように本体ケース７の表面底縁及び蓋ケース８の表面底縁に低いリブ１５，１５を沿設している。タイトル紙１２はこのリブ１５，１５に当って位置決めされ、支持棒１３ａ，１３ｂ，１４ａ，１４ｂが後退しても外れないようになる。
【００１５】
図４は陳列ケース１を開いた状態の本体ケース７と蓋ケース８の内側を表している。本発明の陳列ケース１は自動機械によって本体ケース７と蓋ケース８が開かれ、透明シート１０との間にタイトル紙１２を挿入したところで自動機械で閉じられる。しかし、陳列ケース１は貸出しケースを収容する為に上端が開口していることで、陳列ケース全体の剛性は低くなり、その為に変形する。
【００１６】
そこで、本体ケース７と蓋ケース８が正しく閉じられるように、案内ガイド部を複数個所に設けている。すなわち、本体ケース７に蓋ケース８が正しく噛み合って閉じることが出来る構造と成っており、図４のＡ部、Ｂ部、Ｃ部に噛み合い案内ガイド部を設けている。本体ケース７及び蓋ケース８が変形して噛み合い位置が多少ズレても、案内ガイド部にて案内されて本体ケース７と蓋ケース８は閉じることが出来る。
【００１７】
図５は図４のＡ部を表している詳細図であり、蓋ケース８側には２本のガイドリブ１６，１６を所定の間隔をおいて蓋板１７から起立し、ガイドリブ１６，１６は蓋底１８との間に隙間１９を有している。そして、本体ケース７と蓋ケース８が閉じる場合には、該本体ケース７の本体底２０が上記隙間１９に嵌入する。ガイドリブ１６のコーナー２１は滑らかな円弧が形成され、本体底２０はコーナー２１にガイドされて隙間１９に嵌ることが出来る。従って、陳列ケース１を閉じる場合、蓋ケース８の蓋底１８と本体ケース７の本体底２０は互いに噛み合って接することが出来る。
【００１８】
本体ケース７と蓋ケース８が開いた内側を図４に表しているように、蓋ケース８の蓋側部２２はその中央部を窪ませて凹部４を形成し、蓋中央側部２３を有している。又、蓋中央側部２３と僅かな隙間２４を残して内側にガイドリブ２５を蓋板１７から起立し、ガイドリブ２５の両先端部は湾曲し、その先端は蓋側部２２との間に隙間２６，２６を設けている。
【００１９】
一方、本体ケース７の本体側部２７の中央部も窪んでいて、本体中央側部２８を形成し、そして本体側部２７から内側へ延びるガイドリブ２９，２９を本体中央側部２８の両側に有している。又、本体側部２７の上端には内側へ屈曲した本体上部３３が設けられている。図６は図４のＢ部の嵌合状態を表しているが、本体側部２７は蓋側部２２とガイドリブ２５の先端との間に形成されている隙間２６に嵌ることが出来る。
【００２０】
そして、本体中央側部２８は蓋中央側部２３とガイドリブ２５との間に形成している隙間２４に嵌ることが出来、ガイドリブ２９は蓋側部２２とガイドリブ２５との間に形成される空間３０に嵌合する。又、本体側部２７には係合片３１が外側へ突出し、この係合片３１は蓋側部２２の内面に形成した係合溝３２に係合することで、本体ケース７と蓋ケース８はロックされる。
【００２１】
図７は本体上部３３が蓋側部２２の上端内側へ屈曲して形成した蓋上部３４と噛み合わせる場合であり、蓋上部３４の内側には図８に示すように湾曲したガイドリブ３５が蓋板１７から起立して設けられている。ガイドリブ３５は蓋上部３４から湾曲して延びているが、その先端は蓋側部２２とは繋がっておらず、隙間を形成している。
【００２２】
そして、この隙間に本体側部２７が嵌り、本体上部３３はガイドリブ３５の内部空間３６に嵌っている。このように、本発明に係る陳列ケース１は本体ケース７と蓋ケース８とで構成し、本体ケース７と蓋ケース８を開いた状態で透明シート１０を垂れ下げて間にタイトル紙１２を挿入し、その後、閉じることが出来る。この開閉操作は自動機械によって行われるように、開く際にはツメ３ａ，３ｂが係止する凹部４を側部に形成し、閉じる際には本体ケース７と蓋ケース８とが正しく嵌合するように案内ガイド部を有している。
【００２３】
ここで、複数のガイドリブを設けているが、各ガイドリブ１６、２５、２９、及び本体上部３３、蓋上部３４のコーナーは湾曲した形状とし、噛み合う際には湾曲したコーナーに沿ってガイドされて本体ケース７と蓋ケース８が正しく噛み合って閉じることが出来る。
【図面の簡単な説明】
【００２４】
【図１】本発明の陳列ケースにツメを係止して開く場合。
【図２】陳列ケースが開いて透明シートが垂れ下がった状態。
【図３】垂れ下がった透明シートの空間にタイトル紙を挿入した場合。
【図４】開いた陳列ケースの内側。
【図５】陳列ケースを閉じる際に、底部に設けたガイドリブと本体底が噛み合う状態。
【図６】陳列ケースを閉じた際の、蓋側部と本体側部の噛み合い状態。
【図７】陳列ケースを閉じる際の、本体上部と蓋上部の噛み合い状態。
【図８】陳列ケースを閉じた際の、蓋ケース上部に設けたガイドリブと蓋上部の噛み合い状態。
【図９】陳列ケースに貸出しケースを収容した場合。
【符号の説明】
【００２５】
１  陳列ケース
２  側縁
３  ツメ
４  凹部
５  蓋側リブ
６  本体側リブ
７  本体ケース
８  蓋ケース
９  継手部
10  透明シート
11  空間
12  タイトル紙
13  支持棒
14  支持棒
15  リブ
16  ガイドリブ
17  蓋板
18  蓋底
19  隙間
20  本体底
21  コーナー
22  蓋側部
23  蓋中央側部
24  隙間
25  ガイドリブ
26  隙間
27  本体側部
28  本体中央側部
29  ガイドリブ
30  空間
31  係合片
32  係合溝
33  本体上部
34  蓋上部
35  ガイドリブ
36  空間
【図１】
2008162608.tif 000003
【図２】
2008162608.tif 000004
【図３】
2008162608.tif 000005
【図４】
2008162608.tif 000006
【図５】
2008162608.tif 000007
【図６】
2008162608.tif 000008
【図７】
2008162608.tif 000009
【図８】
2008162608.tif 000010
【図９】
2008162608.tif 000011